(57)【要約】【課題】被包装物を圧縮して小嵩にした状態で包装袋に充填することにより被包装物の一部が外へ飛び出してしまうことを抑制すると共に従来よりも小さな包装袋を使用可能とする圧縮充填方法を提供すること。【解決手段】グリップ対ｇにより吊り下げ状に支持された包装袋ａに所定量の圧縮可能な被包装物を充填して袋口ｂを施封する包装機において、放出口を開閉片１３によって開閉自在に設けた漏斗１１を昇降自在に設けると共に当該漏斗内に投入される被包装物を押圧する上下方向に移動可能な押し棒１５を備えた圧縮充填手段１０を設け、圧縮充填手段１０にて、漏斗１１内に投入された被包装物を押し棒１５により圧縮して嵩を小さくした状態とし、充填工程に間欠停止した包装袋ａの開放された状態の袋口ｂに漏斗１１の開閉片１３を挿入するとほぼ同時に、当該開閉片１３を開放して小嵩にされた被包装物を押し棒１５により押し込んで当該包装袋に充填する。【選択図】図２
2008081168.tif 000002
【特許請求の範囲】
【請求項１】
単数若しくは複数のグリップ対を備えた移動体を複数の工程に間欠停止して移動させ、各グリップ対により吊り下げ状に支持された包装袋に充填工程で所定量の圧縮可能な被包装物を充填して袋口を施封する包装機において、
放出口を開閉片によって開閉自在に設けた漏斗を昇降自在に設けると共に計量手段から当該漏斗内に投入される被包装物を押圧する上下方向に移動可能な押し棒を備えた圧縮充填手段を前記充填工程に設け、
その圧縮充填手段にて、前記漏斗内に投入された被包装物を前記押し棒により圧縮して嵩を小さくした状態とし、前記充填工程に間欠停止した包装袋の開放された状態の袋口に前記漏斗の開閉片を挿入するとほぼ同時に、当該開閉片を開放して小嵩にされた被包装物を前記押し棒により押し込んで当該包装袋に充填することを特徴とする被包装物の圧縮充填方法。
【請求項２】
前記充填工程又は充填工程より前の工程において、袋口を開放された包装袋の前後面を押圧手段により押圧して当該包装袋内に滞留する空気を追い出し、その押圧手段による押圧動作を解除してから前記被包装物の充填を行うことを特徴とする請求項１に記載の被包装物の圧縮充填方法。
【発明の詳細な説明】
【技術分野】
【０００１】
本発明は、軽くて舞い上がりやすい削り節等の被包装物を圧縮して小嵩にした状態で包装袋に自動的に充填する方法に関するものである。
【背景技術】
【０００２】
従来のガス充填式包装機における被包装物の圧縮充填方法の一例を図４に示す。この方法は、包装機のグリップ対（図示せず）により吊り下げ状に支持された包装袋ａの袋口ｂに充填工程にて漏斗ｃの下端部を臨ませた状態で所定量の被包装物ｆを漏斗に投入し、ついで、押し棒ｄにより被包装物ｆを押し込みながら包装袋ａ内に充填を行っている。
【０００３】
ところが、被包装物が削り節のように軽くて嵩のある性状の場合には、包装袋への充填時に舞い上がり易く、その一部が外へ飛び出してしまうとか、袋口の内面に付着することがある。また、被包装物が包装袋内に嵩高に収まった状態では、包装工程の後工程で包装袋にノズルを挿入して不活性ガスを注入する際に被包装物が舞い上がってしまい、ガス充填作業に支障を生じる。
【０００４】
本件出願人はかかる不具合に対処するために、包装袋内に投入した削り節等の被包装物を押し棒によって圧縮することにより小嵩にする押込み装置を開発している（実用新案登録第２５２０２６２号）。しかし、この押込み装置によっても押込み動作を速くすると被包装物が舞い上がって落ち着きが悪いため押込み動作を余り速くすることはできなかった。
【０００５】
特許第３７４２０４２号公報には、包装袋への被包装物及び不活性ガスの充填と、袋口のシールとを１つの間欠回転テーブルを用いて行なう「包装機における不活性ガス充填方法」が開示されている。この包装方法を削り節の袋詰めに適用させることができるが、削り節を圧縮して小嵩にした状態で包装袋に充填してガス置換を施すように構成されていないことから、充填時に削り節が舞い上がる現象を抑制することはできない。
【特許文献１】実用新案登録第２５２０２６２号公報
【特許文献２】特許第３７４２０４２号公報
【発明の開示】
【発明が解決しようとする課題】
【０００６】
本発明の目的は、被包装物を圧縮して小嵩にした状態で包装袋に充填することにより被包装物の一部が外へ飛び出してしまうことを抑制すると共に従来よりも小さな包装袋を使用可能とする圧縮充填方法を提供することにある。
【課題を解決するための手段】
【０００７】
前記目的を達成するために請求項１に記載した発明は、単数若しくは複数のグリップ対を備えた移動体を複数の工程に間欠停止して移動させ、各グリップ対により吊り下げ状に支持された包装袋に充填工程で所定量の圧縮可能な被包装物を充填して袋口を施封する包装機において、
放出口を開閉片によって開閉自在に設けた漏斗を昇降自在に設けると共に計量手段から当該漏斗内に投入される被包装物を押圧する上下方向に移動可能な押し棒を備えた圧縮充填手段を前記充填工程に設け、その圧縮充填手段にて、前記漏斗内に投入された被包装物を前記押し棒により圧縮して嵩を小さくした状態とし、前記充填工程に間欠停止した包装袋の開放された状態の袋口に前記漏斗の開閉片を挿入するとほぼ同時に、当該開閉片を開放して小嵩にされた被包装物を前記押し棒により押し込んで当該包装袋に充填することを特徴とするものである。
【０００８】
同様の目的を達成するために請求項２に記載した発明は、請求項１に記載の被包装物の圧縮充填方法において、前記充填工程又は充填工程より前の工程において、袋口を開放された包装袋の前後面を押圧手段により押圧して当該包装袋内に滞留する空気を追い出し、その押圧手段による押圧動作を解除してから前記被包装物の充填を行うことを特徴とするものである。
【発明の効果】
【０００９】
（請求項１の発明）
この被包装物の圧縮充填方法は、被包装物を圧縮して小嵩にした状態で包装袋に充填することにより、被包装物の舞上がりが少なくなってその一部が当該包装袋の外へ飛び出してしまうことが抑制される。さらには、包装袋が従来方法に比べて小さくてすむため、包材コストの低減化を図ることができる。
【００１０】
（請求項２の発明）
この被包装物の圧縮充填方法は、包装袋内に滞留する空気を追い出してから被包装物の充填を行うので、被包装物の舞上がりが無くなってその一部が外に飛び出すことが防止され、円滑に充填作業を行うことができる。
【発明を実施するための最良の形態】
【００１１】
以下に、本発明の最良の形態例を図面に基づいて説明する。図１は本発明の被包装物の圧縮充填方法を適用したガス充填式包装機の平面図、図２は圧縮充填手段による充填作業の説明図、図３は押圧手段により包装袋の前後面を押圧した状態を示す説明図である。
【００１２】
本発明の「被包装物の圧縮充填方法」を適用したガス充填式包装機Ｐを図１に示す。この包装機Ｐは、圧縮充填手段１０、計量装置（図示せず）、不活性ガス供給装置等を備えており、給袋工程（イ）、賞味期限等の印字工程（ロ）、開口工程（ハ）、削り節等の被包装物の充填・押込み工程（ニ）、第二押込み工程（ホ）、仮付けシール工程（へ）、ガス置換・モミホグシ工程（ト）〜（ワ）、トップシール工程（カ）、シール部分の冷却工程（ヨ）、シール部への被包装物の噛みこみ検出工程（タ）、及び製品排出工程（タ）の１６工程からなる。この実施例で取り扱う被包装物は、軽くて舞い上がり易い性状の「削り節ｋ」である。
【００１３】
なお、この実施の形態例では、本発明方法をロータリー方式の包装機Ｐに適用して説明するが、直線移動方式の包装機に適用することも可能である。
因みに、その直線移動方式の包装機とは、直線部とその両端の半円形部からなる環状通路を水平移動する移動体に多数のグリップ対を直立姿勢及び水平姿勢に変換自在に設け、給袋工程で供給される包装袋を各グリップ対に支持して当該包装袋を開口工程、充填工程、袋口のシール工程等の各工程に間欠停止させて被包装物の袋詰めを行うようにした公知構造のものをいう。
【００１４】
この包装機Ｐの機台１上には、縦向きの間欠回転軸（図示せず）を回転自由に支持したスタンド（図示せず）を設け、その間欠回転軸に取り付けられた図示しない円盤状回転体（移動体）に、袋口ｂのみが開放された包装袋ａを掴着又は釈放するための（工程数と同数の）１６個のグリップ対ｇが等角度間隔で放射方向に突出するように設けられている。上記給袋工程（イ）に配置された給袋装置５は、供給台６上に積み重ねられた多数の包装袋ａを、図示しない吸盤を備えた吸着手段によって上方から一枚ずつ分離して袋口ｂを上にして吊り下げた状態でグリップ対ｇに供給するような公知の構造とされている。
【００１５】
２は上記回転体上で各グリップ対ｇの中央位置に昇降自在に配設されたガス充填ノズルである。それらガス充填ノズル２は、図示しない昇降制御杆により仮付けシール工程（へ）にて包装袋ａ内に挿入されて不活性ガスを注入することによりガス置換を施し、トップシール工程（カ）にて包装袋ａから脱出させるように設けられている。
【００１６】
なお、上記ガス充填ノズル２を特定工程で昇降させる昇降機構については、本件出願人の所有する特許第２８８４０６４号の特許公報により開示された内容に準じた構成とする。また、ガス充填ノズル２には、不活性ガス供給装置から所定圧力の窒素ガス、炭酸ガス等の不活性ガスが供給されるように設けられている。不活性ガス供給システムについては、本件出願人の所有する特許第２６１９７９５号の特許公報により開示された内容に準じた構成とする。
【００１７】
仮付けシール手段については、本件出願人の所有する特許第２６６８３２４号の特許公報により開示された内容に準じた構成とする。
【００１８】
圧縮充填手段１０は、被包装物の充填・押込み工程（ニ）に配置されている。図２に示すように、圧縮充填手段１０の漏斗１１は、サーボモータ装置とスライドユニットの組み合わせ等からなる昇降機構により昇降自在に設けられ、その胴部１１ａの下部に設けられた嘴状の一対の開閉片１３，１３によって放出口１２を開閉自在に設けている。１５は計量手段（図示せず）から漏斗１１内に投入される削り節ｋを押圧するべく上下方向に移動自在に設けられた押し棒である。
【００１９】
なお、上記押し棒１５を上下動させる昇降機構については、サーボモータ装置又はカム機構とスライドユニットの組み合わせ等からなる構造とすることができる。
【００２０】
しかして、漏斗１１内に投入される削り節ｋを押し棒１５により圧縮して嵩を小さくした状態とし、包装袋ａの開放された状態の袋口ｂに漏斗１１の開閉片１３，１３を挿入するとほぼ同時に、当該開閉片１３，１３を開放して小嵩にされた削り節ｋを押し棒１５により押し込んで充填する圧縮充填手段１０が構成される。
【００２１】
前記充填工程（ニ）又は充填工程より前の工程の開口工程（ハ）には、包装袋ａ内に滞留する空気を追い出すための押圧手段１７を設けることができる（請求項２の発明）。図３に示すように、押圧手段１７は、カム駆動手段等により前後方向に揺動自在に設けられる図示しない一対のレバーに、内面を平坦に形成した柔軟な素材からなる押さえ片１８，１８を対向状に設けた構造とする。
【００２２】
つぎに、本発明の「被包装物の圧縮充填方法」についてガス充填式包装機Ｐの作用と共に説明する。
（１）包装機Ｐの給袋工程（イ）において、給袋装置５により包装袋ａがグリップ対ｇに供給される。印字工程（ロ）において、公知の印字装置２０により包装袋ａの裏面側に賞味期限等の印字がなされる。
（２）開口工程（ハ）において、包装袋ａは、公知の開口手段２５により前後面を吸盤２６，２６により吸着されて袋口ｂを開放される。このときに、先端部を開閉自在とされた公知構造の開口爪１９，１９が袋口ｂに挿入されてＶ字形に閉じた状態からほぼ平行状態に作動することにより、袋口ｂは開放した状態を確実に保持される。なお、その開口爪の構造に関しては、実公昭６２―２９３６６号公報等に記載されている
（３）被包装物の充填・押込み工程（ニ）において、包装袋ａの前後面を押圧手段１７の押さえ片１８，１８により押圧して当該包装袋ａ内に滞留する空気が追い出される。
（４）押圧手段１７による押圧動作が解除された後、図２に示すように、計量手段から漏斗１１内に削り節ｋが投入され、投入された削り節ｋを押し棒１５により圧縮して嵩を小さくした状態とされる。ついで、包装袋ａの開放された状態の袋口ｂに漏斗１１の開閉片１３，１３が挿入されるとほぼ同時に、当該開閉片１３，１３を開放して小嵩にされた削り節ｋが押し棒１５により押し込まれて充填される。なお、上記開口爪１９，１９は、漏斗１１の開閉片１３，１３が袋口ｂに挿入されるとほぼ同時に上方に移動して包装袋ａから脱出するように制御される。
（５）削り節ｋが充填されると、漏斗１１、押し棒１５は順に上昇移動し、漏斗１１の開閉片１３，１３が閉じられる。
（６）ついで、包装袋ａは、回転体の間欠回転移動により第二押込み工程（ホ）に間欠移送され、押込み手段３０により削り節ｋが圧縮されてさらに嵩を小さくされる。
（７）仮付けシール工程（ヘ）において、ガス充填ノズル２が包装袋ａ内に挿入されて不活性ガスの充填が開始される。これと同時に、仮付けシール手段３５により当該ノズル２の周囲を残して直線状に緊張させた状態の袋口ｂに仮付けシールが施される。
（８）ガス置換・モミホグシ工程（ト）〜（ワ）において、包装袋ａが移動する間に、ガス充填ノズル２から不活性ガスを噴出させつつ包装袋ａを振動手段によって揺さぶることによりガス置換の促進と削り節ｋのモミホグシが行われる。
（９）トップシール工程（カ）において、ガス充填ノズル２を包装袋ａから脱出させると共にシール手段４０によって袋口ｂのシールが施される。
（１０）シール部分の冷却工程（ヨ）において、前工程で施されたヒートシール部分の冷却がシール冷却手段４５により施される。
（１１）製品排出工程（タ）において、グリップ対ｇの釈放動作により包装袋ａが機外に放出される。
【００２３】
以上に述べた通り、この被包装物の圧縮充填方法は、削り節を圧縮して小嵩にした状態で包装袋に充填することにより、削り節の舞上がりが少なくなってその一部が当該包装袋の外へ飛び出してしまうことが抑制される。さらには、包装袋が従来方法に比べて小さくてすむため、包材コストの低減化を図ることができる。
【図面の簡単な説明】
【００２４】
【図１】本発明の被包装物の圧縮充填方法を適用したガス充填式包装機の平面図
【図２】本発明方法による圧縮充填手段による充填作業の説明図
【図３】押圧手段により包装袋の前後面を押圧した状態を示す説明図
【図４】従来方法による圧縮充填手段による充填作業の説明図
【符号の説明】
【００２５】
Ｐ・・・ガス充填式包装機
ｇ・・・グリップ対
ａ・・・包装袋
ｂ・・・袋口
ｋ・・・削り節（被包装物）
１０・・・圧縮充填手段
１１・・・漏斗
１３・・・開閉片
１５・・・押し棒
１７・・・押圧手段
【図１】
2008081168.tif 000003
【図２】
2008081168.tif 000004
【図３】
2008081168.tif 000005
【図４】
2008081168.tif 000006